(57)【要約】【課題】簡単な構成によって、スピーカ搭載ラックの荷重に対する耐性・強度を高める【解決手段】天板と底板を有する棚と、前記棚の天板と底板との間に設けられた一つの竜骨部と、一端を前記竜骨部に固定した複数の肋材から構成される竜骨構造とを備える。そして、前記竜骨構造の竜骨部と肋材により形成される空間にスピーカ装置を配置する。前記竜骨部は、前記棚の長手方向に沿って中央に配置し、前記複数の肋材は、前記竜骨部に対し略直角に配置する。【選択図】図７
2010109445.tif 000002
【特許請求の範囲】
【請求項１】
天板と底板を有する棚と、
前記棚の天板と底板との間に設けられた一つの竜骨部と、一端を前記竜骨部に固定した複数の肋材から構成される竜骨構造と、
前記竜骨構造の竜骨部と肋材によって形成される空間に配置された複数のスピーカ装置と、
前記棚を支持する少なくとも２つの側柱と、
を備えるスピーカ搭載ラック。
【請求項２】
前記竜骨部は、前記棚の長手方向に沿って中央に配置され、
前記複数の肋材は、前記竜骨部に対し略直角に配置されている、
請求項１に記載のスピーカ搭載ラック。
【請求項３】
隣接する前記複数の肋材間の他端を接続する複数の第１の梁と、
隣接する前記複数の第１の梁間の端部を接続する複数の第２の梁、をさらに備える
請求項２に記載のスピーカ搭載ラック。
【請求項４】
前記竜骨部の断面は、上部に開口部を有する略コの字形状である
請求項３に記載のスピーカ搭載ラック。
【請求項５】
音声信号に対して所定の処理を行うアンプ装置をさらに備え、
前記竜骨部を中心として正面側の所定位置に均衡に前記複数のスピーカ装置が、同背面側の中央の前記竜骨部と肋材によって形成される空間に前記アンプ装置が配置されている
請求項４に記載のスピーカ搭載ラック。
【請求項６】
前記スピーカ装置を構成する筐体の一部を前記竜骨部に直に固定し、前記スピーカ装置を前記竜骨構造の肋材として機能させた
請求項１乃至５のいずれかに記載のスピーカ搭載ラック。
【発明の詳細な説明】
【技術分野】
【０００１】
本発明は、スピーカ装置を搭載したオーディオラック、いわゆるスピーカ内蔵ラックに関する。
【背景技術】
【０００２】
室内でラジオ番組、音楽ＣＤ（Compact Disc）、ＤＶＤ（Digital Versatile Disk）等を音源とするオーディオを楽しむため、様々なオーディオ再生装置が提案されている。このようなオーディオ再生装置には、映画館のような臨場感のある音場を実現するためのサラウンド技術や、音楽ホールなどに似た音場を実現するためのサラウンド技術を用いたものがある。
【０００３】
サラウンド再生を行うためには、オーディオ機器にサラウンド再生用に処理されたオーディオ信号を出力するスピーカ装置を多数設置する必要がある。例えば、サラウンドシステム（５．１チャンネル）においては、聴取者の前方方向に対して、左前（ＦＬ：Front Left）、右前（ＦＲ：Front Right）、左後方の左サラウンド（ＳＬ：Surround Left）、右後方の右サラウンド（ＳＲ：Surround Right）、中央前（ＦＣ：Front Center）に設置した５チャンネルのスピーカと、０．１チャンネルのサブウーファ（ＳＷ：Sub Woofer）を設置するようにしていた。この構成により、聴取者の周囲に５．１チャンネル対応のサラウンド再生を実現することができる。
【０００４】
近年、ブラウン管型テレビジョン受像機に代わりフラットパネルディスプレイを搭載したテレビジョン受像機（以下、「薄型テレビジョン受像機」という。）が急速に普及している。薄型テレビジョン受像機には、いわゆる液晶テレビジョン受像機や有機ＥＬテレビジョン受像機、プラズマテレビジョン受像機などがある。薄型テレビジョン受像機では、ＤＳＰ（Digital Signal Processor）等によるデジタル信号処理により臨場感のある再生を可能にするオーディオ信号を生成し、内蔵のスピーカ装置より放音する。
【０００５】
ところで、スピーカ装置の音質を決定する項目の一つにその大きさが挙げられ、エンクロージャに収納されたスピーカ装置の背面から出力される音の共鳴空間が大きいと重低音域の周波数の再生特性が良いと言われる。
【０００６】
しかし、薄型テレビジョン受像機は、薄型ゆえ厚み即ち奥行きが少なく、内蔵のスピーカ装置の性能向上には限界があった。
【０００７】
また、複数のスピーカ装置を用いてサラウンド再生を行う場合、設置したスピーカ装置にオーディオ信号を送るためのケーブルを敷設する必要があるが、その配線の困難性、スピーカ装置の設置角度の調整の煩わしさ、設置空間を確保できない等の不便が生じる。
【０００８】
そこで、これらの問題を解決するため、薄型テレビジョン受像機、スピーカ装置およびアンプ装置等の各種オーディオ機器を収納できるスピーカ搭載ラックが提供されている。スピーカ搭載ラックは、薄型テレビジョン受像機に内蔵のスピーカ装置に代えて外付けのスピーカ装置をアンプ装置等とともにラック自体に内蔵して一体化し、薄型テレビジョン受像機を収納する（例えば、特許文献１を参照）。
【０００９】
上記スピーカ搭載ラックは、スピーカ装置（さらにはアンプ装置）が始めから内蔵された状態で販売され、音質やスピーカ装置の配置スペースなどの問題を解決するようにしている。
【００１０】
【特許文献１】特開２００６−３５２５７９号公報
【発明の開示】
【発明が解決しようとする課題】
【００１１】
ところで、従来のＣＲＴ型テレビジョン装置は同画面サイズの薄型テレビジョン受像機と比較して非常に重かったが、薄型テレビジョン受像機は薄く軽いため、一般にスピーカ搭載ラックの強度はあまり要求されない。
【００１２】
最近では、薄型テレビジョン受像機の大型化が進み、それにつれて重量も増しており、スピーカ搭載ラックの天板にかかる負荷が大きくなっている。
【００１３】
また、スピーカ搭載ラックはリビングに置かれることが多く、子供が上に乗って遊んだり、大人が踏み台代わりに使用したりすることがあるが、本来このような使い方を想定した設計がされていない。
【００１４】
しかしながら、さまざまな材料が高騰している折り、スピーカ搭載ラックの強度向上にかけられる材料費には限界がある。
【００１５】
本発明は、このような状況に鑑みてなされたものであり、簡素な構成によって、スピーカ搭載ラックの荷重に対する耐性・強度を高めるようにするものである。
【課題を解決するための手段】
【００１６】
本発明の一側面に係るスピーカ搭載ラックは、天板と底板を有する棚と、前記棚の天板と底板との間に設けられた一つの竜骨部と、一端を前記竜骨部に固定した複数の肋材から構成される竜骨構造とを備える。そして、前記竜骨構造の竜骨部と肋材により形成される空間にスピーカ装置を配置する。
【００１７】
上記本発明において、前記竜骨部は、前記棚の長手方向に沿って中央に配置され、前記複数の肋材は、前記竜骨部に対し略直角に配置されていると好適である。
【００１８】
上記本発明において、隣接する前記複数の肋材間の他端を接続する複数の第１の梁と、隣接する前記複数の第１の梁間の端部を接続する複数の第２の梁を備えることが好適である。
【００１９】
上記本発明において、前記竜骨部の断面は、上部に開口部を有する略コの字形状であると好適である。
【００２０】
上記本発明において、音声信号に対して所定の処理を行うアンプ装置をさらに備え、前記竜骨部を中心として正面側の所定位置に均衡に前記複数のスピーカ装置が、同背面側の中央に前記アンプ装置が配置されていることが好適である。
【００２１】
さらに、上記本発明において、前記スピーカ装置を構成する筐体の一部を前記竜骨に直に固定し、前記スピーカ装置を前記竜骨構造の肋材として機能させたことを特徴とする。
【００２２】
上記のように構成された本発明によれば、竜骨部と複数の肋材を有する竜骨構造を採用することによって、簡素な構成で棚に係る加重に対する構造的な強度が高められる。
【発明の効果】
【００２３】
本発明によれば、簡素な構成によって、スピーカ搭載ラックの荷重に対する耐性・強度を高めることができる。
【発明を実施するための最良の形態】
【００２４】
以下、本発明を実施するための最良の形態の例について、添付図面を参照しながら説明する。説明は下記項目に従って順に行うとする。
１．第１の実施の形態（竜骨構造：スピーカ装置を使用しない例）
２．第２の実施の形態（竜骨構造：スピーカ装置を使用する例）
３．変形例
【００２５】
＜１．第１の実施の形態＞
［スピーカ搭載ラックの外観］
以下、本発明の第１の実施の形態を、図１〜図１０を参照して説明する。
本実施の形態では、５．１チャンネルに対応したスピーカ及びアンプ装置を搭載するスピーカ搭載ラックに適用した例としてある。
【００２６】
まず、本実施の形態のスピーカ搭載ラックの構成の概略について、図１〜３を参照して説明する。
【００２７】
図１は、スピーカ装置が内蔵されたスピーカ搭載ラックの外観図を示している。図２は、図１のスピーカ搭載ラックの天板をはずした状態を示している。さらに、図３は、図２のスピーカ搭載ラックの正面図を示している。
【００２８】
スピーカ搭載ラック１００は、竜骨構造が構成される上段の棚２と、下段の棚３と、この棚２，３の間に設けられた側柱４Ｌ，４Ｒと、棚３に底面に設けた４つの脚５を備え、２段構成としてある。上側の棚２の上面にはインテリア性を向上させるために、例えばガラス板１を配置している。また棚２には、ガラス板１が載置される面に天板８を設けている。さらに棚２の正面の例えばガラス板１に近い側（上部）に、化粧板２ａを設置している。棚２の上面のガラス板１には、テレビジョン受像機やオーディオ再生装置等を載置し、また、棚２と棚３の間のスペースには、ビデオデッキ、ＤＶＤレコーダ等の電子機器を格納することができる。側柱４Ｌ，４Ｒの側面には化粧板４ａを取り付けてある。
【００２９】
棚２の内部には、左から順に、左リアスピーカＳＬ、左前スピーカＦＬ、中央前スピーカＣＬ，ＣＣ，ＣＲ、右前スピーカＦＲ、右リアスピーカＳＲが正面方向に設置してある。また、棚３の下部にはサブウーファ７を収納した収納ボックス６が設定してある。そして、音声信号を図示しないオーディオ再生装置やテレビジョン受像機等を信号源として天板８の下側に収納した後述するアンプ装置に供給するようにしている。スピーカＳＬ〜ＳＲ、サブウーファ７は、アンプ装置のスピーカ接続端子にケーブルで接続してあり、アンプ装置から音声信号の供給を受け、音声出力を行う。
【００３０】
このスピーカ搭載ラック１００は、視聴者の前方に配置され、棚２の正面方向に設置したスピーカＳＬ〜ＳＲが視聴者と対向するように配置される。視聴者の近傍には図示しない最適聴取領域があり、この領域内においてサラウンド再生された特に臨場感のある音声を聴取することができる。
【００３１】
［棚の内部構造］
次に、竜骨構造を備える棚２の内部構造を、図４〜図６を参照して説明する。
【００３２】
図４は、竜骨構造が構成されている棚２の内部構造を示す概略斜視図である。図５は、竜骨構造が構成されている棚２の内部構造を示す上面図である。さらに、図６は、竜骨構造が構成されている棚２の内部構造を示す背面斜視図である。
【００３３】
天板をはずした棚２の内部において、棚２の長手方向に沿って略短手中央に配置した竜骨部２０と、竜骨部２０に対し略直角に配置して一端を当該竜骨部２０に固定した複数の肋材２１〜２６，５１〜５４により竜骨構造を構成する。この竜骨構造は、隣接する複数の肋材２１〜２６，５１〜５４の各々の端部を接続する複数の第１の梁３１，３２，６１，６２と、さらに隣接する複数の第１の梁３１，３２間の端部を接続する複数の第２の梁４１〜４３を備える。
【００３４】
竜骨部２０を中心線として正面側の所定位置に均衡に複数のスピーカ筐体（スピーカ装置）１１〜１３を設置し、同様に背面側の中央にアンプ装置１０を設置するようにする。すなわち、竜骨部２０と各肋材２１〜２６によって形成される空間の所定位置にスピーカ筐体１１〜１３を配置し、さらに、竜骨部２０と肋材５２，５３によって形成される空間にアンプ装置１０を設置する。アンプ装置１０の背面に、梁６３を取り付け、その両側の第１の梁６１，６２間を接続するとともに、底板９に固定する。このように構成した竜骨構造を、棚２の底板９にネジ止め等の手段を用い固定する。
【００３５】
天板８、底板９、竜骨構造を構成する竜骨部２０および肋材２１〜２６，５１〜５４は天板８に係る荷重に耐え得るよう金属等の強度の強い材質を選択するものとし、加えて軽量であることが望ましい。なお、竜骨構造を構成する各部材は、求められる所定の強度および軽量の条件を満たすものであれば、材質は限定されない。
【００３６】
［竜骨構造の詳細］
次に、スピーカ搭載ラック１００に形成した竜骨構造について、図７〜図１０を参照してさらに詳細に説明する。
【００３７】
図７は、スピーカ搭載ラック１００の竜骨構造を示す斜視図である。図８は、スピーカ搭載ラック１００の竜骨構造を示す上面図である。図９は、スピーカ搭載ラック１００のＸ−Ｘ線（図１参照）断面斜視図である。さらに、図１０は、スピーカ搭載ラック１００のＸ−Ｘ線（図３参照）断面図である。
【００３８】
竜骨構造１００Ａの竜骨部２０は、詳細を後述するように断面形状が上部に開口部を有する略コの字形状であり、２つの側面部とそれを連結する連結部を有する。そのコの字形状の一端（側面部の端部）には、天板８を支持し固定するための支持部２０ａが所定位置（例えば５箇所）に形成されている。支持部２０ａは、図９，図１０に示すように、天板８と平行な面であって天板８から受ける荷重を支えるのに適切な面積を有し、天板８を介して例えばネジ７０により固定される。
【００３９】
竜骨部２０の正面側に固定された肋材２１〜２６は、その役割によって肋材２２〜２５と肋材２１，２６の二つに分けられる。肋材２２〜２５は、竜骨部２０の中間部に使用され、肋材２１，２６は終端部に使用される。
【００４０】
まず、肋材２２〜２５について説明する。ここで、肋材２２〜２５は対称形状か否かの違いはあるがいずれも同機能であるから、代表して肋材２２について説明する。
【００４１】
肋材２２は、所定面積の垂直に沿った状態の板金を竜骨部２０に対して横方向から略直角に固定するようにして設けられる。この肋材２２は、竜骨部２０に固定するための固定部２２ａと、後述する梁３１が固定される取付部２２ｂと、天板８を支持・固定するための支持部２２ｃが形成されている。
【００４２】
固定部２２ａは、肋材２２の一端を鉤型に成形してつくられた面を竜骨部２０の側面部（取付部）に接面させて、ネジ７０等を利用して当該側面部に固定する。取付部２２ｂは、肋材２２の他端を鉤型に成形してつくられた面を後述する梁３１に接面させて、ネジ７０等を利用して当該梁３１に取り付ける。
【００４３】
取付部２２ｂは、上方に対して鉤状に成形して面を作り、その面を利用して後述する梁４１を取り付けられるように形成されている。そして、支持部２２ｃは、竜骨部２０の支持部２０ａと同様に、天板８と平行な面であって天板８から受ける荷重を支えるのに適切な面積を有し、天板８を介してネジ７０等による固定が行われる。
【００４４】
また肋材２３は、上述した肋材２２と同様に、固定部２３ａと、取付部２３ｂと、支持部２３ｃが形成されている。また、肋材２４も同様に、固定部２４ａと、梁３２が取り付けられる取付部２４ｂと、支持部２４ｃが形成されている。さらに、肋材２５も同様に、固定部２５ａと、梁３２が取り付けられる取付部２５ｂと、支持部２５ｃが形成されている。
【００４５】
なお、肋材２２〜２５は、各肋材２２〜２５と竜骨部２０の固定を安定させる目的で、補助的な掛止部（図９：掛止部２３ａ１参照）が設けられている。
【００４６】
次に、肋材２１，２６について説明する。ここで、肋材２１，２６は互いに竜骨部２０の端部に設けられ、対称形状かつ同機能であるから、代表して肋材２１について説明する。
【００４７】
肋材２１は、断面形状がほぼ略コの字形状であり、２つの側面部２１ａ，２１ｂとそれを連結する連結部からなる。側面部２１ａは、竜骨部２０の側面部と当該肋材２１を固定するためのであり、その端部が開口部を開く方向へ鉤状に成形して支持部２１ａ１が設けられている。支持部２１ａ１は、天板８を支持・固定するとともに、竜骨部２０の上記側面部と反対側の側面部と固定されるようにしてあり、竜骨部２０の開口部の開きを防止し、補強するようになされている。また、側面部２１ｂは、その端部が開口部を上記支持部２１ａ１と反対方向へ鉤状に成形して支持部２１ｂ１が設けられている。支持部２１ｂ１は、天板８を支持・固定するとともに、後述する梁４１が取り付けられるようになされている。
【００４８】
また肋材２６は、上述した肋材２１と同様に、側面部２６ａ，２６ｂと、支持部２６ａ１，２６ｂ１が形成されている。
【００４９】
次に、竜骨部２０の背面側に固定された肋材５１〜５４について説明する。ここで、肋材５１〜５４は対称形状か否かの違いはあるがいずれも同機能であるから、代表して肋材５１について説明する。
【００５０】
肋材５１は、断面形状がほぼ略コの字形状であり、２つの側面部５１ａ，５１ｂとそれを連結する連結部からなる。側面部５１ａは、後述する梁６１と当該肋材５１を固定するためのものであり、その端部が開口部を閉じる方向へ鉤状に成形して支持部５１ｃが設けられている。支持部５１ｃは、天板８を支持・固定するためのものである。側面部５１ｂは、竜骨部２０の側面部と当該肋材５１を固定するためのものであるとともに、その端部が開口部を閉じる方向へ鉤状に成形されて肋材２１の支持部２１ａ１に取り付けられている。
【００５１】
また肋材５２は、上述した肋材５１と同様に、側面部５２ａ，５２ｂと、支持部５２ｃが形成されている。また、肋材５３も同様に、側面部５３ａ，５３ｂと、支持部５３ｃが形成されている。さらに、肋材５４同様に、側面部５４ａ，５４ｂと、支持部５４ｃが形成されている。
【００５２】
次に、梁３１，３２，４１〜４３，６１，６２について説明する。まず、梁３１，３２から説明していくが、梁３１，３２は同形状かつ同機能であるから、代表して梁３１について説明する。
【００５３】
梁３１は、肋材２２，２３の端部のうち竜骨部２０に固定されていない側の端部を接続するものである。梁３１は、板金が垂直方向に沿った状態で設置され、上端部に鉤状の支持部３１ａ，３１ａが、下端部に鉤状の固定部３１ｂ，３１ｂが設けられている。
【００５４】
上端部の支持部３１ａ，３１ａは、図１０に示すように、天板８を支持・固定するものであるが、本例では、一方の支持部３１ａのみ天板８を固定するようにしている。また、下端部の固定部３１ｂ，３１ｂは、ネジ７０等を利用して竜骨構造１００Ａを底板９に固定するためのものである。
【００５５】
梁３２は、上述した梁３１と同様に、支持部３２ａ，３２ａと、固定部３２ｂ，３２ｂが形成されている。
【００５６】
次に、梁４１〜４３を説明する。梁４１〜４３は同形状かつ同機能であるから、代表して梁４１について説明する。
【００５７】
梁４１は、肋材２１と肋材２２の端部のうち竜骨部２０に固定されていない側の端部を接続するものであるとともに、肋材２１、肋材２２および竜骨部２０と組み合わされてスピーカ筐体１１を配置するためのスペースを形成する。梁４１の両端は、肋材２１の支持部２１ｂ１および肋材２２の端部に取り付けられ、中央部分が上方に湾曲した形状である。これは、梁４１を肋材２１および肋材２２に固定するためのネジ頭と天板８が接触するのを防止するためである。梁４２，４３も同様である。
【００５８】
続いて、梁６１，６２を説明する。梁６１，６２はほぼ同形状かつ同機能である
梁６１は、肋材５１と肋材５２の端部のうち竜骨部２０に固定されていない側の端部を接続するものである。同様に、梁６２は、肋材５３と肋材５４の端部のうち竜骨部２０に固定されていない側の端部を接続している。なお、アンプ装置１０の背面に設けた梁６３（図１０参照）は、梁としての機能よりも化粧板としての機能が強い。
【００５９】
これらの肋材２１〜２６，５１〜５４、梁３１，３２，４１〜４３，６１，６２を設けることによって、竜骨構造１００Ａのねじれに対する剛性が大きく向上する。
【００６０】
なお、上述した竜骨構造を構成する竜骨部２０や各肋材、スピーカ筐体、アンプ装置を構成する板金の板厚は、材質や用途、設置箇所等の条件に応じて適宜設計するものとする。
【００６１】
＜第２の実施の形態＞
次に、本発明の第２の実施の形態を、図１１〜図１４を参照して説明する。
本実施の形態は、スピーカ筐体（およびアンプ装置）の一部を竜骨部に直に固定し、当該スピーカ装置を肋材として機能させるようにしたものである。
【００６２】
図１１は、本実施の形態に係るスピーカ搭載ラックの竜骨構造を示す上面図である。図１２は、本発明の第２の実施の形態に係るスピーカ搭載ラックの竜骨構造を示す上面図である。図１３は、本実施の形態に係る竜骨構造の説明に供する図である。図１４は、本実施の形態に係る竜骨構造の要部を示す図である。
【００６３】
スピーカ筐体１１〜１３を説明するにあたって、同一形状なので代表してスピーカ筐体１２を例にして説明する。スピーカ筐体１２は、図１１，１２に示すように、筐体の両側面に耳、すなわち側面の最も背面側に取付部１２ａ，１２ａが設けてある。この取付部１２ａ，１２ａに雌ネジを設けて雄ネジのネジ７０によって竜骨部２０に固定してある。
【００６４】
ここで、竜骨構造１００Ａの中央に配置されたスピーカ筐体１２とアンプ装置１０を竜骨部２０に固定した場合の断面模式図を、図１３に示してある。アンプ装置１０の側面の最も背面側に取付部１０ａを形成してある。そして、スピーカ筐体１２の取付部１２ａとアンプ装置１０の取付部１０ａをそれぞれ、竜骨部２０の前後の側面部に対しネジ７０を使用して固定する。
【００６５】
上述したようにスピーカ筐体１１〜１３（およびアンプ装置１０）を竜骨部２０に直接固定することにより、竜骨構造１００Ｂのねじれに対する剛性が大きく向上するとともに、構造の簡素化および部品点数の削減が実現できる。
【００６６】
＜３．変形例＞
［変形例１，２：竜骨部と肋材の取付け例］
図１５は、本発明の実施の形態の変形例１であって、竜骨部と肋材の固定方法を示している。
【００６７】
本実施の形態においては、肋材７１Ｌ，７１Ｒを上方から見て鉤状に成形された固定部７１ａ，７１ａを設け、この固定部７１ａ，７１ａと竜骨部２０の側面部２０Ｌ，２０Ｒをそれぞれ固定するようにしている。図示していないが、さらに各肋材を底板等に固定する。このような構造とすることにより、竜骨部２０の開口部が開くことを防止できる。また、コの字形状の構造的な弱点を補強することによって、竜骨部にコの字形状の構造を採用でき、中空でない棒状の部材等を使用する場合と比較して材料費を節約できる。例えば、断面形状が矩形の場合と、開口部を備えるコの字形状では、材料費は３／４になる。
【００６８】
図１６は、本発明の実施の形態の変形例２であって、竜骨部と肋材の固定方法を示している。
本実施の形態においては、図１５に示した変形例２に対して、左右の肋材の上部を竜骨部の開口部の上方で繋いで一つの肋材７２を形成している。そして、変形例２とほぼ同様に成形した固定部７２ａ，７２ａと竜骨部２０の側面部２０Ｌ，２０Ｒをそれぞれ固定するようにしている。本実施の形態においては、上記変形例１と同様の効果が得られる。
【００６９】
［変形例３：竜骨部の補強例］
図１７は、本発明の実施の形態の変形例３であって、竜骨部の補強例を示している。
通常、コの字形状は、開口部の側面部２０Ｒ，２０Ｌが左右（矢印方向）に開きやすい。そこで、竜骨部２０の開口部に蓋体７３を設置して側面部２０Ｌ，２０Ｒと固定することによって、開口部の開きを防止する。本実施の形態においては、上記変形例１と同様の効果が得られる。
【００７０】
［変形例４，５：竜骨部の補強例］
図１８Ａは、本発明の実施の形態の変形例４であって、竜骨部の補強例を示している。
本実施の形態は、コの字形状を組み合わせたものであり、同一形状・同一大きさのコの字部材８１Ｌ，８１Ｒの互いの開口部を対向させた状態で側面部を所定量だけ重ね合わせ、各々の側面部の重なり部分を上下からネジ７０で固定するものである。本実施の形態においては、上記変形例１と同様の効果が得られる。
【００７１】
図１８Ｂは、本発明の実施の形態の変形例５であって、竜骨部の補強例を示している。
本実施の形態は、コの字形状を組み合わせたものであり、変形例４と異なるところは、一方のコの字部材８２Ｌの連結部よりも他方のコの字部材８２Ｒの連結部の長さを一回り大きくした点である。すなわち、コの字部材８２Ｌ，８２Ｒの互いの開口部を対向させた状態で、一方のコの字部材８２Ｌを他方のコの字形状に収納するようにして側面部を所定量だけ重ね合わせる。そして、各々の側面部の重なり部分を上下からネジ７０で固定する。本実施の形態においては、上記変形例１と同様の効果が得られる。
【００７２】
［変形例６，７：竜骨部の補強例］
図１９Ａは、本発明の実施の形態の変形例６であって、竜骨部の補強例を示している。また、図１９Ｂは、本発明の実施の形態の変形例７であって、竜骨部の補強例を示している。
本実施の形態において、竜骨部は肋材を固定できる条件を満たす必要があることから、竜骨部にＨ鋼を採用したものでる。図１９Ａに示す例は、「Ｈ」字の連結部を垂直に配したものであり、図１９Ｂに示すものは、「Ｈ」字の２つの側面部を両側に垂直に配したものでる。本実施の形態によれば、変形例３〜５と比較して簡素な構成である。その他は、上記変形例１と同様の効果が得られる。
【００７３】
［変形例８：竜骨部の補強例］
図２０は、本発明の実施の形態の変形例８であって、竜骨部の補強例を示している。
本実施の形態は、変形例１（図１５参照）と変形例３（図１７）の構造を含むような形態であり、その一部、前述したスピーカ搭載ラック１００に取り入れられている。例えば竜骨部２０の支持部２０ａおよび肋材２１の支持部２１ａ１の構造が該当し、また、蓋体７３が天板８に相当する。
【００７４】
本実施の形態によれば、蓋体７３（天板）を支持・固定する支持部を設けて竜骨部に固定しているので、竜骨構造１００Ｂのねじれに対する剛性が大きく向上するとともに、天板、竜骨部および肋材が固定されるため安定性が増す。
【００７５】
［変形例９：竜骨部の補強例］
図２１は、本発明の実施の形態の変形例９であって、竜骨部の補強例を示した概略断面図である。
本実施の形態では、開口部内に間座７４を設け、当該間座７４を貫通するように側面部からネジ７０を打ち込むようにする。このようにすることによって、コの字形状の竜骨部８５の開口部が開くことを防止できる。
［変形例１０：竜骨部の補強例］
図２２は、本発明の実施の形態の変形例１０であって、竜骨部の補強例を示したものである。
これまで竜骨部（図７，１５，１６，２０等参照）に関して、構造上の理由からコの字形状の開放部を上側に向けていたが、開放部を下側に向けてもよい。この場合、荷重によってコの字形状の竜骨部８５の側面部と連結部の接続部を中心とした回転モーメント（矢印方向）が発生するので、その対策として側面部から所定長さのネジ７０を打って開口部内で係止させる。側面部は所定長のネジ７０によって回転運動が規制され、開口部が閉まらないようにすることができる。
【００７６】
これら竜骨部の補強例等に関する変形例１〜１０は、上述した第１，第２の実施の形態に対して適用することができる。
【００７７】
以上に述べた実施の形態は、本発明を実施するための好適な形態の具体例であるから、技術的に好ましい種々の限定が付されている。ただし、本発明は、以上の実施の形態の説明において特に本発明を限定する旨の記載がない限り、これらの実施の形態に限られるものではない。したがって、例えば、以上の説明で挙げた使用材料とその使用量、処理時間、処理順序および各パラメータの数値的条件等は好適例に過ぎず、また、説明に用いた各図における寸法、形状および配置関係等も実施の形態の一例を示す概略的なものである。
【００７８】
本発明は、上述した実施の形態の例に限定されるものではなく、本発明の要旨を逸脱しない範囲において、種々の変形、変更が可能である。
【図面の簡単な説明】
【００７９】
【図１】本発明の第１の実施の形態に係るスピーカ搭載ラックの外観図である。
【図２】図１のスピーカ搭載ラック（天板をはずした状態）の外観図である。
【図３】図２のスピーカ搭載ラックの正面図である。
【図４】竜骨構造が構成されている棚の内部構造を示す斜視図である。
【図５】竜骨構造が構成されている棚の内部構造を示す上面図である。
【図６】竜骨構造が構成されている棚の内部構造を示す背面斜視図である。
【図７】本発明の第１の実施の形態に係るスピーカ搭載ラックの竜骨構造を示す斜視図である。
【図８】図７のスピーカ搭載ラックの竜骨構造を示す上面図である。
【図９】図１のスピーカ搭載ラックのＸ−Ｘ線断面斜視図である。
【図１０】図３のスピーカ搭載ラックのＸ−Ｘ線断面図である。
【図１１】本発明の第２の実施の形態に係るスピーカ搭載ラックの竜骨構造の上面図である。
【図１２】図１１のスピーカ搭載ラックの竜骨構造の斜視図である。
【図１３】本発明の第２の実施の形態に係る竜骨構造の説明に供する断面模式図である。
【図１４】本発明の第２の実施の形態に係る竜骨構造の要部を示す図である。
【図１５】本発明の第１の実施の形態に係る竜骨と肋材の固定方法（変形例１）の説明に供する図である。
【図１６】本発明の第１の実施の形態に係る竜骨と肋材の固定方法（変形例２）の説明に供する図である。
【図１７】本発明の第１の実施の形態に係る竜骨の補強例（変形例３）を示す断面図である。
【図１８】本発明の第１の実施の形態に係る竜骨の補強例（変形例４，５）を示す断面図である。
【図１９】本発明の第１の実施の形態に係る竜骨の補強例（変形例６，７）を示す断面図である。
【図２０】本発明の第１の実施の形態に係る竜骨の補強例（変形例８）を示す断面図である。
【図２１】本発明の第１の実施の形態に係る竜骨の補強例（変形例９）を示す断面図である。
【図２２】本発明の第１の実施の形態に係る竜骨の補強例（変形例１０）を示す断面図である。
【符号の説明】
【００８０】
２，３…棚、４Ｌ，４Ｒ…側柱、５…脚、７…サブウーファ、８…天板、９…底板、１０…アンプ装置、１１〜１３…スピーカ筐体（スピーカ装置）、１１ａ〜１３ａ…取付部、２０…竜骨部、２１〜２６，５１〜５４…肋材、２１ａ，２１ｂ…側面部、２１ａ１，２１ｂ１…支持部、２２ａ，２３ａ，２４ａ，２５ａ…固定部、２２ｂ，２３ｂ，２４ｂ，２５ｂ…取付部、２２ｃ，２３ｃ，２４ｃ，２５ｃ…支持部、３１，３２，４１〜４３，６１，６２…梁、３１ａ，３２ａ…支持部、３１ｂ，３２ｂ…固定部、５１ａ…取付部、５１ｂ…固定部、５１ｃ…支持部
【図１】
2010109445.tif 000003
【図２】
2010109445.tif 000004
【図３】
2010109445.tif 000005
【図４】
2010109445.tif 000006
【図５】
2010109445.tif 000007
【図６】
2010109445.tif 000008
【図７】
2010109445.tif 000009
【図８】
2010109445.tif 000010
【図９】
2010109445.tif 000011
【図１０】
2010109445.tif 000012
【図１１】
2010109445.tif 000013
【図１２】
2010109445.tif 000014
【図１３】
2010109445.tif 000015
【図１４】
2010109445.tif 000016
【図１５】
2010109445.tif 000017
【図１６】
2010109445.tif 000018
【図１７】
2010109445.tif 000019
【図１８】
2010109445.tif 000020
【図１９】
2010109445.tif 000021
【図２０】
2010109445.tif 000022
【図２１】
2010109445.tif 000023
【図２２】
2010109445.tif 000024